(57)【特許請求の範囲】
【請求項１】
三脚との結合部および墨出し器の突起が嵌まる円筒部を有する第１の筒と、
第１の筒に相対回転可能に嵌められている第２の筒と、
第１の筒に対して第２の筒を一方向に回転付勢する付勢手段と、
第１の筒の内周面から進退可能に配置されている締め付け部材としての球体と、を有し、
上記球体は、第１の筒に形成されている切り欠き内に進退可能に配置され、
上記切り欠きは、上記球体が第１の筒の内周面から脱落しないように第１の筒の内周面側が幅狭になっており、
第２の筒は、上記球体と対向する内周面に、第１の筒に対し上記回転付勢方向に相対回転することにより上記球体を第１の筒の内周面から進出させ上記球体を第１の筒の円筒部に嵌まる墨出し器の突起の周溝に嵌めてこの突起を締め付ける締め付け部材押圧部、この締め付け部材押圧部から径方向外側に後退して形成された逃げ部、上記締め付け部材押圧部と逃げ部を円滑につなぐ傾斜面を有し、
上記第２の筒はまた、上記付勢方向への回転を規制するストッパを有し、
上記第２の筒の逃げ部は、第２の筒が上記付勢力に抗して回転した状態で上記球体を後退させるように構成され、
第１の筒と第２の筒はそれぞれ摘みを有していて、それぞれの摘みを接近させることにより、第２の筒を付勢力に抗して回転させることができ、
上記球体を墨出し器の突起の周溝に嵌めて締め付けた状態で墨出し器を任意の回転位置まで回転させることができることを特徴とする墨出し器用三脚アダプター。
【請求項２】
第２の筒を回転付勢する付勢手段は、互いに嵌まり合う第１の筒と第２の筒との間に形成されている同心円状の空間に配置されたコイルばねからなる請求項１記載の墨出し器用三脚アダプター。
【発明の詳細な説明】
【０００１】
【発明の属する技術分野】
本発明は、墨出し器を三脚に取り付けて使用するための墨出し器用三脚アダプターの構造に関するものである。
【０００２】
【従来の技術】
墨出し器は、建築作業時や部屋の間仕切りなどを行う際に、投射器より天井から壁面にかけて通り芯あるいは「たち」と呼ばれる基準線、または壁面に「ろく」と呼ばれる基準線をレーザー光によって投射する装置である。墨出し器自体が脚部を有していて、この脚部によって適宜の位置に墨出し器を設置することができる。
【０００３】
また、場合によっては、墨出し器を三脚に取り付けて使用することもある。墨出し器を三脚に取り付けて使用する場合に考慮すべき事項として、着脱が簡単であること、三脚に取り付けた状態で墨出し器が安定していて三脚から脱落することがないこと、三脚に取り付けて状態でスムーズに回転させることができること、などが挙げられる。
【０００４】
以下に、従来の墨出し器の三脚への取り付け構造、および墨出し器用三脚アダプターの例について説明する。図８に示す例は、墨出し器５０の本体ベースに雌ねじ５１を形成し、この雌ネジ５１に、三脚５５の上端に設けられている雄ねじ５６をねじ込むようにしたものである。この例では、アダプターは使用しない。図９に示す例はアダプターを使用するもので、アダプター５７の下部に形成された雌ねじ５９に三脚５５の雄ねじ５６をねじ込むことによってアダプター５７を三脚５５に取り付け、アダプター５７の上端に形成されている凸部５８を、墨出し器５０の本体ベースに形成されている凹部５２に嵌めることによって、墨出し器５０を三脚５５に取り付けるようにしたものである。図１０に示す例もアダプターを使用するもので、アダプター６０の下部に形成された雌ねじ６２に三脚５５の雄ねじ５６をねじ込むことによってアダプター６０を三脚５５に取り付け、アダプター６０の上端に形成されている雄ねじ６１を、墨出し器５０の本体ベースに形成されている雌ネジ５３にねじ込むことによって、墨出し器５０を三脚５５に取り付けるようにしたものである。
【０００５】
【発明が解決しようとする課題】
図８に示す従来の墨出し器の、三脚への取り付け構造によれば、三脚５５のネジ５６が墨出し器５０の中に入り込んでくるため、墨出し器５０の中にかなりのスペースが必要となり、墨出し器５０が大きくなる難点がある。また、墨出し器５０を回しながら三脚５５に取り付けるため、三脚への取り付け作業が面倒であり、時間もかかる。
図９に示す従来の墨出し器の、三脚への取り付け構造によれば、三脚５５に取り付けられたアダプター５７の凸部５８に墨出し器５０の凹部をはめ込むだけでよいから、取り付け作業は簡単である。しかし、ねじなどによって墨出し器５０が固定されるわけではないから、三脚５５とともに墨出し器５０を移動させようとするときに、墨出し器５０が三脚５５から脱落するおそれがある。
図１０に示す従来の墨出し器の、三脚への取り付け構造によれば、墨出し器５０が三脚５５から脱落するおそれはないが、墨出し器５０を回しながら三脚５５に取り付けるため、三脚への取り付け作業が面倒であり、時間もかかる難点がある。
【０００６】
本発明は以上のような従来技術の問題点を解消するためになされたもので、墨出し器５０が大きくなることを回避することができ、三脚への取り付け作業を短時間で簡単に行うことができるとともに、三脚に取り付けた状態での墨出し器の脱落を防止することができ、加えて、三脚に取り付けた状態で墨出し器を任意の回転位置までスムーズに回転させることができる墨出し器用三脚アダプターを提供することを目的とする。
【０００７】
【課題を解決するための手段】
請求項１記載の発明は、三脚との結合部および墨出し器の突起が嵌まる円筒部を有する第１の筒と、第１の筒に相対回転可能に嵌められている第２の筒と、第１の筒に対して第２の筒を一方向に回転付勢する付勢手段と、第１の筒の内周面から進退可能に配置されている締め付け部材としての球体と、を有し、上記球体は、第１の筒に形成されている切り欠き内に進退可能に配置され、上記切り欠きは、上記球体が第１の筒の内周面から脱落しないように第１の筒の内周面側が幅狭になっており、第２の筒は、上記球体と対向する内周面に、第１の筒に対し上記回転付勢方向に相対回転することにより上記球体を第１の筒の内周面から進出させ上記球体を第１の筒の円筒部に嵌まる墨出し器の突起の周溝に嵌めてこの突起を締め付ける締め付け部材押圧部、この締め付け部材押圧部から径方向外側に後退して形成された逃げ部、上記締め付け部材押圧部と逃げ部を円滑につなぐ傾斜面を有し、上記第２の筒はまた、上記付勢方向への回転を規制するストッパを有し、上記第２の筒の逃げ部は、第２の筒が上記付勢力に抗して回転した状態で上記球体を後退させるように構成され、第１の筒と第２の筒はそれぞれ摘みを有していて、それぞれの摘みを接近させることにより、第２の筒を付勢力に抗して回転させることができ、上記球体を墨出し器の突起の周溝に嵌めて締め付けた状態で墨出し器を任意の回転位置まで回転させることができることを特徴とする。
【０００８】
第１の筒の、三脚との結合部を三脚と結合させてアダプターを三脚に取り付ける。第１の筒に対し第２の筒を相対回転させて締め付け部材を後退させた状態で、墨出し器の突起を第１の筒の円筒部に嵌め、第１の筒に対し第２の筒を逆向きに相対回転させると、第２の筒の締め付け部材押圧部が締め付け部材を押圧して締め付け部材が第１の筒の内周面から進出し、上記墨出し器の突起を締め付け部材が締め付ける。このようにして、アダプターの介在のもとに墨出し器が三脚に取り付けられる。
【００１０】
請求項２記載の発明は、請求項１記載の発明において、第２の筒を回転付勢する付勢手段は、互いに嵌まり合う第１の筒と第２の筒との間に形成されている同心円状の空間に配置されたコイルばねからなることを特徴とする。
【００１１】
【発明の実施の形態】
以下、図面を参照しながら本発明にかかる墨出し器用三脚アダプターの実施形態について説明する。
図１、図２において、墨出し器１０はその本体下部のベースに３個の脚部１１を有し、この脚部１１によって墨出し器１０を床面や地面などの任意の位置におくことができるようになっている。上記ベーの中央部下面には、突起１２が下方に突出して一体に設けられている。突起１２は全体としては円筒形であるが、周溝１３が形成されている。
【００１２】
図１において、墨出し器１０の突起１２には三脚アダプター２０が装着されている。以下、図１、図３ないし図７を参照しながら、三脚アダプター２０の構造を説明する。三脚アダプター２０は、第１の筒の一部をなす固定筒２１を有している。固定筒２１の内周側下部にはねじ形成部材２２が嵌められ固定筒２１と一体化されている。ねじ形成部材２２は三脚との結合部をなしていて、三脚の雄ねじが嵌まることができる雌ネジが形成されている。固定筒２１の内周側上部は前記墨出し器１０の突起１２が嵌まるべき円筒部２８となっている。
【００１３】
固定筒２１は、周方向に等分して４箇所に、固定筒２１を厚さ方向に貫通して切り欠き２５が形成されている。各切り欠き２５には鋼球などの球体からなる締め付け部材３５が配置されている。締め付け部材３５は切り欠き２５内において移動し、固定筒２１の内周面、より具体的には墨出し器１０の突起１２が嵌まるべき上記円筒部２８の内周面から進退可能に配置されている。上記切り欠き２５は、固定筒２１の内周面から締め付け部材３５が脱落しないように、固定筒２１の内周面側が幅狭になっていて、締め付け部材３５の一部が固定筒２１の内周面から突出することができるようになっている。
【００１４】
固定筒２１の外周側には、第１の筒の一部をなす外固定部材２３が嵌められ、固定筒２１と外固定部材２３が一体化されている。外固定部材２３は、固定筒２１の上記切り欠き２５を覆うことのない程度の長さになっている。固定筒２１は上端部が外向きの鍔部２６になっている。外固定部材２３の外周側には、回転筒としての第２の筒３０が外固定部材２３および固定筒２１に対し相対回転可能に嵌められている。第２の筒３０は、上記固定筒２１の鍔部２６と外固定部材２３の下端部に形成された外向きの鍔部とで位置規制され、周方向にのみ回転することができる。
【００１５】
第２の筒３０の、上記締め付け部材３５と対向する内周面は締め付け部材押圧部３１およびこれに続く逃げ部３２となっている。逃げ部３２は４個の締め付け部材３５に対応して周方向の４箇所に、上記締め付け部材押圧部３１から径方向外側に後退させて形成されている。また、各逃げ部３２の周方向の一端は、締め付け部材押圧部３１と逃げ部３２を円滑につなぐ傾斜面になっている。固定側の第１の筒に対して第２の筒３０を相対回転させることにより、図４に示すように各締め付け部材３５が各逃げ部３２と対向することができ、このとき各締め付け部材３５が逃げ部３２内に逃げて各締め付け部材３５が固定筒２１の円筒部２８内周面から後退することができるようになっている。また、図３、図５に示すように、各締め付け部材３５が締め付け部材押圧部３１に対向するときは、各締め付け部材３５が締め付け部材押圧部３１に押されて固定筒２１の円筒部２８内周面から内方に進出するようになっている。
【００１６】
上記外固定部材２３の上端部外周は小径部となっていて、この小径部が第２の筒３０の内周面で覆われることにより、同心円の円筒状空間２７が形成されている。換言すれば、互いに嵌まり合う第１の筒の一部である外固定部材２３と第２の筒３０との間に、これら外固定部材２３、第２の筒３０と同心円状の空間２７が形成されている。空間２７内には、この空間２７と略同じ円筒形に巻かれたコイルばね４０が配置されている。コイルばね４０は第１の筒をなす固定筒２１、外固定部材２３等に対して第２の筒３０を一方向に回転付勢する付勢手段を構成していて、一端部が外固定部材２３に、他端部が第２の筒３０に掛け止められている。
【００１７】
上記コイルばね４０による第２の筒３０の回転付勢方向は、図４、図５において反時計方向である。図４は付勢力に抗して第２の筒３０を時計方向に回転させた状態を示しており、各締め付け部材３５が第２の筒３０の逃げ部３２に対向して逃げ部３２に逃げ、各締め付け部材３５が固定筒２１の円筒部２８から後退した状態を示している。図５は付勢力によって第２の筒３０が反時計方向に回転した状態を示しており、各締め付け部材３５が第２の筒３０の締め付け部材押圧部３１に押され固定筒２１の円筒部２８内周面から内方に進出した状態を示している。このとき、固定筒２１の円筒部２８に前記墨出し器１０の突起１２が嵌められているとすれば、各締め付け部材３５が上記突起１２の周溝１３に嵌まることができるように、各部の寸法が設定されている。
【００１８】
外固定部材２３は外周側に突出して摘み２４を一体に有している。また、第２の筒３０も外周側に突出して摘み３３を有している。第２の筒３０はまた外周部に突出したストッパ３６を有している。第２の筒３０が上記付勢力によって回転するとき、ストッパ３６の通路上に摘み２４が位置し、ストッパ３６が摘み２４に当接することによって、付勢力による第２の筒３０の回転が規制されるようになっている。摘み２４、摘み３３は比較的近い位置にあり、摘み２４、摘み３３を同時につまむことによって第２の筒３０を付勢力に抗し回転させることができ、かつ、摘み３３が摘み２４に当接することによって第２の筒３０の回転が規制されるようになっている。また、図４に示すように、摘み３３と摘み２４とを接近させ、かつ、これらの摘み３３、２４を当接させて第２の筒３０の回転が規制された状態において、各締め付け部材３５が上記逃げ部３２と対向するようになっている。
【００１９】
次に、上記実施形態にかかる墨出し器用三脚アダプター２０の使用方法ないしは使用手順について説明する。三脚アダプター２０は、三脚との結合部であるねじ形成部材２２を三脚の雄ねじにねじ込むことによって三脚に固定しておく。三脚アダプター２０の介在のもとに墨出し器１０を三脚に取り付けるときは、摘み２４、摘み３３を同時に指でつまんで、図４に示すように、第２の筒３０をコイルばね４０の付勢力に抗して時計方向に回転させ、各締め付け部材３５が逃げ部３２に逃げることができる状態にしておく。この状態で墨出し器１０の突起１２を固定筒２１の円筒部２８に嵌め、摘み３３から指を離し、第２の筒３０をコイルばね４０の付勢力により図３、図５に示すように反時計方向に回転させる。この第２の筒３０の回転により既に説明したとおり各締め付け部材３５が締め付け部材押圧部３１に押圧され、各締め付け部材３５が固定筒２１の円筒部２８内周面から内方に進出し、各締め付け部材３５が上記突起１２の周溝１３に嵌まる。このようにして墨出し器１０の突起１２が各締め付け部材３５によって締め付けられ、墨出し器１０が三脚に取り付けられる。
【００２０】
墨出し器１０が三脚に取り付けられた状態では、各締め付け部材３５が墨出し器１０の突起１２の周溝１３に嵌まっているため、墨出し器１０が三脚から容易に脱落するというようなことはない。また、各締め付け部材３５が墨出し器１０の突起１２の周溝１３に嵌まっているため、墨出し器１０が三脚に取り付けられた状態で、墨出し器１０を任意の回転位置まで回転させることもできる。このとき、突出した締め付け部材３５に対して上記周溝１３がガイドされ、しかも各締め付け部材３５は球体であることから、墨出し器１０の回転に伴って締め付け部材３５も回転することができ、墨出し器１０をスムーズに回転させることができる。したがって、「たち」あるいは「ろく」と呼ばれる基準線を所望の位置に精度よく迅速に設定することができる。
【００２１】
上記実施形態によればまた、摘み３３の操作で第２の筒３０を付勢力に抗し回転させた状態で墨出し器１０を着脱することができ、墨出し器１０を装着した状態で摘み３３の操作を解除すれば墨出し器１０が脱落不能に装着されるので、墨出し器１０の着脱操作が極めて簡単になる利点がある。また、三脚アダプター２０は中空状に形成されているため、墨出し器１０から出射される地墨光を通すことができる。
【００２２】
締め付け部材３５は、墨出し器１０を三脚に取り付けた状態でよりスムーズに回転させるために、上記のように球体であることが望ましい。しかし、必ずしも球体である必要はない。例えば、棒状のもの、ブロック状のものなどでもよい。また、墨出し器１０の突起１２の周溝１３に嵌まる部分のみが球面をなしていてもよい。
第２の筒３０の回転付勢手段であるコイルばね４０は、必ずしも外固定部材２３などと同心の円筒状コイルばねに限られるものではなく、適宜の引っ張りばね、圧縮ばね、板ばねなどであってもよい。
【００２３】
【発明の効果】
本発明によれば、墨出し器が三脚に取り付けられた状態では、第２の筒を第１の筒に対し相対回転させ、第１の筒の円筒部に嵌まる墨出し器の突起に、締め付け部材を当接させるため、墨出し器が三脚に安定に保持され、墨出し器が三脚から容易に脱落するというようなことはない。また、墨出し器が三脚に取り付けられた状態で、墨出し器を所望の回転位置までスムーズに回転させることができる利点もある。
さらに、第２の筒を第１の筒に対し相対回転させた状態で墨出し器を着脱することができるため、着脱操作が簡単になる利点もある。
【図面の簡単な説明】
【図１】本発明にかかる墨出し器用三脚アダプターの実施形態を墨出し器に装着した態様で示す一部断面正面図である。
【図２】上記実施形態にかかる三脚アダプターを適用可能な墨出し器の例を示す正面図である。
【図３】本発明にかかる墨出し器用三脚アダプターの実施形態を示す正面断面図である。
【図４】上記実施形態の横断面図である。
【図５】上記実施形態の別の作動態様を示す横断面図である。
【図６】上記実施形態の斜視図である。
【図７】上記実施形態の平面図である。
【図８】従来の墨出し器と三脚との結合構造の例を示す正面図である。
【図９】アダプターを用いた従来の墨出し器と三脚との結合構造の例を示す正面図である。
【図１０】アダプターを用いた従来の墨出し器と三脚との結合構造の別の例を示す正面図である。
【符号の説明】
１０  墨出し器
１２  突起
２１  第１の筒の一部である固定筒
２２  三脚との結合部であるねじ形成部材
２３  第１の筒の一部である外固定筒
２４  摘み
３０  第２の筒である回転筒
３５  締め付け部材
４０  付勢部材としてのコイルばね
【図１】
0004215990.tif 000002
【図２】
0004215990.tif 000003
【図３】
0004215990.tif 000004
【図４】
0004215990.tif 000005
【図５】
0004215990.tif 000006
【図６】
0004215990.tif 000007
【図７】
0004215990.tif 000008
【図８】
0004215990.tif 000009
【図９】
0004215990.tif 000010
【図１０】
0004215990.tif 000011